(57)【要約】      （修正有）【課題】人が日常感じる皮膚のはりに対する感覚を客観的に評価できる皮膚のはり評価用器具を提供する。【解決手段】皮膚に対し、重力による荷重を加えるための錘部品２と、皮膚に接触し重力による荷重を皮膚表面に伝え、皮膚表面に円形の凹状痕を与えるための荷重痕付加部品４からなる皮膚のはり評価用器具において、該錘部品が、重力による荷重を調整するため複数の錘を重ね合わせた構造であり、所定の厚さを有する金属性の円板であることを特徴とする。【選択図】図１
0003158862.tif 000002
【実用新案登録請求の範囲】
【請求項１】
皮膚に対し、重力による荷重を加えるための錘部品と、皮膚に接触し重力による荷重を皮膚表面に伝え、皮膚表面に円形の凹状痕を与えるための荷重痕付加部品からなることを特徴とする皮膚のはり評価用器具。
【請求項２】
錘部品が、重力による荷重を調整するため複数の錘を重ね合わせた構造であることを特徴とする請求項１に記載の皮膚のはり評価用器具。
【請求項３】
錘部品が所定の厚さを有する金属性の円板であることを特徴とする請求項１又は２に記載の皮膚のはり評価用器具。
【請求項４】
荷重痕付加部品がゴム製リングからなり、錘部品の直径より小さい直径を有していることを特徴とする請求項１乃至３に記載の皮膚のはり評価用器具。
【請求項５】
荷重痕付加部品がゴム製であり、太さ２ｍｍで直径１２ｍｍのリング状に形成したことを特徴とする請求項１乃至４に記載の皮膚のはり評価用器具。
【請求項６】
皮膚に対し、重力による荷重を加えるための重り部品と、皮膚に接触し重力による荷重を皮膚表面に伝え、皮膚表面に円形状の荷重痕を与えるための荷重痕付加部品とが、皮膚に対して垂直方向に配列するためのガイドを該重り部品と荷重痕付加部品の周囲に設置したことを特徴とする請求項１乃至５に記載の皮膚のはり評価用器具。
【考案の詳細な説明】
【技術分野】
【０００１】
本考案は、化粧料や美容食品などによる皮膚のはりを改善する効果を評価するため、皮膚に対し所定の荷重を所定時間加えることによって生じる皮膚表面の荷重痕を所定の時間毎に計測し、時間の経過によって荷重痕が消失する過程を視覚的に観察することにより化粧料や食品による皮膚のはりを改善する効果を評価するための器具に関する。
【背景技術】
【０００２】
通常、皮膚のはりの評価方法は、専門評価者が被検者の顔や腕などの皮膚を目視により観察し評価を行っている。しかし、この方法は、評価者に熟練を要するとともに、客観的な評価を得ることが困難である。
【０００３】
近年では、客観的に皮膚のはりを評価するために機器による計測や画像解析的手法が検討されている。機器を用いた方法としては、キュートメーター(Cutometer SEM 575(COURAGE & KHAZAKA 社製))に代表されるように機械的負荷(吸引、押圧など)をかけた際に算出される指標を用いた評価が知られている(特許文献1)。また、画像解析的手法を用いたものとしては画像解析で得られた複数の特徴量からハリを評価する方法(特許文献2)や外力による変化を高速度カメラを用いて測定することにより評価する方法(特許文献3)、顔画像の特定部位(頬など)における反射領域の画像解析を用いて評価する方法(特許文献4)等が知られている。
【０００４】
しかし、機器を用いた方法では、測定方法が特殊であるため得られた評価と人が日常感じている皮膚のはりに対する評価、例えば、皮膚にはりが出てきたと感じる時の状態の一つである「就寝中に顔面などにつく”枕のあと”がつきにくくなる」という実感とが必ずしも一致しない場合がある。また、高価な機器をそろえる必要があることから汎用性に乏しい。
【先行技術文献】
【特許文献】
【０００５】
【特許文献１】特開平１１−１６４８２２号公報
【特許文献２】特開２００３−０２４３０６号公報
【特許文献３】特開２００６−３４６０２０号公報
【特許文献４】特開２００９−０８９９９９号公報
【考案の概要】
【考案が解決しようとする課題】
【０００６】
本考案は、人が日常感じる皮膚のはりに対する感覚を視覚的に評価できる皮膚のはり評価用器具を提供することを課題とする。
【課題を解決するための手段】
【０００７】
第１の考案は、皮膚に対し、重力による荷重を加えるための錘部品と、皮膚に接触し重力による荷重を皮膚表面に伝え、皮膚表面に円形の凹状痕を与えるための荷重痕付加部品からなることを特徴とする皮膚のはり評価用器具である。
【０００８】
第２の考案は、錘部品が、重力による荷重を調整するため複数の錘を重ね合わせた構造であることを特徴とする皮膚のはり評価用器具である。
【０００９】
第３の考案は、錘部品が所定の厚さを有する金属性の円板であることを特徴とする皮膚のはり評価用器具である。
【００１０】
第４の考案は、荷重痕付加部品がゴム製リングからなり、錘部品の直径より小さい直径を有していることを特徴とする皮膚のはり評価用器具である。
【００１１】
第５の考案は、荷重痕付加部品がゴム製であり、太さ２ｍｍで外径１２ｍｍのリング状に形成したことを特徴とする皮膚のはり評価用器具である。
【００１２】
第６の考案は、皮膚に対し、重力による荷重を加えるための錘部品と、皮膚に接触し重力による荷重を皮膚表面に伝え、皮膚表面に円形状の荷重痕を与えるための荷重痕付加部品とが、皮膚に対して垂直方向に配列するためのガイドを該錘部品と該荷重痕付加部品の周囲に設置したことを特徴とする皮膚のはり評価用器具である。
【考案の効果】
【００１３】
本考案の皮膚のはり評価用器具によれば、人が日常感じる皮膚のはりに対する感覚を視覚的に評価することができ、各被験者の美容上のはりを視覚的に表現するとともに視感評価および画像解析で数値化を行うことによって客観的に精度良く、かつ、再現性の高い評価が可能となる。
【考案を実施するための形態】
【００１４】
以下に、本考案の皮膚のはり評価用器具について、図面を参照しながら詳細に説明する。皮膚のはり評価用器具(図１)は、皮膚に対し、重力による荷重を加えるための錘部品(2)と、皮膚に接触し重力による荷重を皮膚表面に伝え、皮膚表面に円形の凹状痕を与えるための荷重痕付加部品(4)とからなり、錘部品(2)による荷重で荷重痕付加部品(4)が皮膚にもたらす荷重痕により評価を行うようにしたものである。
【００１５】
図１では、錘部品(2)と荷重痕付加部品(4)との間に、プラスチック製のスペーサー(3)を配置し、スペーサー(3)を介して錘部品(2)と荷重痕付加部品(4)とを重畳している。スペーサー(3)を用いる理由は、錘部品(2)で通常用いられる材質として金属が考えられ、錘部品(2)が肌に接触した際、被試験者への冷感刺激を軽減すべく配慮したものである。したがって、スペーサー(3)を無くして直接、錘部品(2)と荷重痕付加部品(4)を接合しても評価に影響はなく問題はない。また、錘部品(2)と荷重痕付加部品(4)は一体として構成しても良く、例えば、錘部品(2)の下面を加工し、荷重痕付加部品(4)を構成しても良い。
【００１６】
錘部品(2)は、重力により荷重を加えるために適したものであれば、形状に特に制限はないが、取り扱いやすい円筒形状が好ましく、底面には荷重痕付加部品(4)を配するため、荷重痕付加部品(4)の直径より大径の円形であることが好ましい。また、錘部品(2)の材質は、特に限定されないが、加工が容易であることから真鍮やステンレスなどの金属が好ましい。
【００１７】
また、錘部品(2)は、評価する皮膚の部位が額であるか腕であるかによって試験条件が異なり、これに応じて皮膚に加える荷重を変える必要がある。したがって、錘部品(2)は、交換可能であるか、あるいは分割した小さな錘(図５)をいくつか積み重ねて使用し、積み重ねる錘の個数によって皮膚への荷重を調整することが出来る構造であることが好ましい。
【００１８】
荷重痕付加部品(4)は、太さ２ｍｍで直径１２ｍｍのゴム製のＯリングを使用した。荷重痕付加部品(4)の皮膚との接触部分をリング状にすることで、荷重が円周上に均等にかかり、皮膚に荷重痕をつけやすく、評価における荷重痕の変化が明瞭となる。また、皮膚のはり評価を行う部位としては、通常、額や前腕が想定されるが、これらの部位において、正確に荷重痕を付加できる荷重痕付加部品(4)の大きさとして、外径１２ｍｍを選定し、また、荷重痕付加部品(4)によって皮膚が傷つくことがないよう、材質はゴム製とした。また、リングの太さが細すぎる場合には、リングが皮膚に埋没するとともに錘部品(2)が皮膚に接触してしまい、皮膚に充分な荷重痕を付与することが出来ない。逆に、リングが太すぎると、皮膚への圧力が分散してしまい、この場合も荷重痕を充分付加することが出来ない。以上から、リングの太さは２ｍｍが適切である。
【００１９】
皮膚のはり評価用器具(1)は、皮膚に重力による荷重で荷重痕を付加するものであるため、皮膚に対し垂直に設置する必要がある。図６は、錘部品(2)と荷重痕付加部品(4)の周囲に塩化ビニル製のガイド筒(5)を設け、錘部品(2)と荷重痕付加部品(4)とが皮膚に対して垂直方向に配列することを示したものである。尚、ガイドは筒状である必要はなく、錘部品(2)と荷重痕付加部品(4)が皮膚に対して垂直に配列し、皮膚に対する垂直方向の動きを妨げるものでなければ形態に制限はない。
【００２０】
以下の実施例では、本考案のはり評価用器具(1)を使用した皮膚のはり評価方法を説明するとともに、評価方法に適した器具の構成について更に詳しく説明する。
【実施例１】
【００２１】
皮膚のはりを評価する方法は、被検者の測定部位である前腕に本考案のはり評価用器具(1)を所定時間のせ(図８)、当該器具を取り除いた後の荷重痕の消失の程度を観察することによって行う。
【００２２】
ここで、はり評価用器具(1)の錘部品(2)の重量と荷重痕との関連性を調べるための実験を行った。
【００２３】
実験では、錘部品の重量を１８７ｇ、１２６ｇ、６５ｇの３種類とし、はり評価用器具(1)を皮膚に３０秒間のせた後、取り除き、当該器具を取り除いた直後と、取り除いてから５分を経過したときの荷重痕の状態を写真撮影した（図９）。
【００２４】
実験結果から、１８７ｇと１２６ｇでは、５分後の荷重痕の変化が確認しやすいことがわかった。尚、錘部品の重量１８７ｇ、１２６ｇは、約６０ｇの錘を積み重ねることによって作成した。
【００２５】
つぎに、荷重を一定にした場合の荷重時間と荷重痕の関連性を調べるための実験を行った。実験では、錘部品の重量は１８７ｇとし、３名の被検者に対し、荷重時間を１０秒、２０秒、３０秒としてはり評価用器具による荷重を加え、当該器具を取り除いた直後の荷重痕を写真撮影した（図１０）。
【００２６】
実験結果から、被検者１は最も荷重痕がつきにくく、被検者３は最も荷重痕がつきやすい傾向であったが、荷重時間が３０秒では、いずれの被検者でも荷重痕を確認することができた。
【００２７】
以上の結果から、はり評価の試験方法としては、錘部品の重量は１８７ｇとし、荷重時間は３０秒とすることとした。
【００２８】
つぎに、飲料製品による皮膚のはりを改善する効果を確認するため、皮膚のはり評価の実験を行った。
【００２９】
被検者は、飲料製品を１日１回、１本を毎日摂取することとし、飲料製品を摂取する以前と、１日摂取後と、１週間摂取後において、上記の皮膚のはり評価の実験を行った(被検者８名)。荷重痕の評価は図１１に示すような視感評価の判定基準を使用し、荷重痕を目視で観察し、荷重痕について「輪郭が見えない」を１、「輪郭が不明瞭」を２、「輪郭が見える」を３、「輪郭がはっきり見える」を４として、荷重痕の状態を点数として表記し、被検者全員の平均値を算出してグラフに表した(図１２、図１３)。
【００３０】
図１２は、はり評価用器具を取り除いた直後の荷重痕を評価したグラフであり、図１３は、はり評価用器具を取り除いた後１０分経過の荷重痕を評価したグラフである。いずれのグラフも、飲料製品を連日服用した場合、服用の日数が増えるにしたがって、皮膚のはりが改善される傾向にあった。また、図１１の摂取翌日の評価が摂取前と変わらないのに対し、図１２の摂取翌日の評価では摂取前と比べて皮膚のはりが改善されていることがわかる。これは、飲料製品を摂取した翌日には、充分とはいえないものの皮膚のはりを改善する効果があることを示している。
【００３１】
以上の結果から、飲料製品の連続的な服用よって、皮膚のはりが改善されていることを確認することができた。、また、この結果は、被検者が自ら日常において皮膚のはりが改善されている感覚と一致するものであった。
【実施例２】
【００３２】
上記の実施例では、視感評価の判定基準(図１１)を使用して、荷重痕を点数化し評価したが、飲料製品の消費者への説明や、宣伝においては、写真などの画像によって実際の荷重痕が消失する過程を紹介することが有効である。
【００３３】
測定手順としては、まず皮膚の測定部位の四隅に印をつける。飲料製品の服用前と服用後の効果を数日に渡って測定する際に測定部位を特定する必要があるためである。はり評価用器具を測定部位に乗せる前の皮膚の状態を撮影する。その後、はり評価用器具を乗せ、３０秒間保持し、器具を取り除いた直後の状態を撮影し、更に、５分後、１０分後荷重痕の変化の状態を撮影する。
【００３４】
上記の試験を前腕と額で行い、撮影した結果をそれぞれ図１４および図１５に示す。いずれの結果からも、飲料製品の接種前に対して、毎日１本ずつ服用した場合に、翌日、さらに１週間後では荷重痕の回復が早くなっていることが確認された。この試験結果からも、飲料製品の皮膚のはり改善効果を確認することが出来た。
【図面の簡単な説明】
【００３５】
【図１】皮膚のはり評価用器具
【図２】錘部品
【図３】スペーサー
【図４】荷重痕付加部品
【図５】１つの分割した錘
【図６】ガイド筒を設置した皮膚のはり評価用器具
【図７】ガイド筒
【図８】皮膚のはり評価における器具による荷重痕付加状態
【図９】錘部品の重量と荷重痕との関連性実験の結果(図面代用写真)
【図１０】荷重時間と荷重痕との関連性実験の結果(図面代用写真)
【図１１】視感評価の判定基準
【図１２】飲料製品を摂取することによる皮膚のはりの変化(評価用器具を取り除いた直後)の評価結果
【図１３】飲料製品を摂取することによる皮膚のはりの変化(評価用器具を取り除いた１０分後)の評価結果
【図１４】前腕部での皮膚のはり評価の写真撮影結果(図面代用写真)
【図１５】額部での皮膚のはり評価の写真撮影結果(図面代用写真)
【符号の説明】
【００３６】
１  皮膚のはり評価用器具
２  錘部品
３  スペーサー
４  荷重痕付加部品
５  ガイド筒
６  皮膚(前腕屈側部) 
【図１】
0003158862.tif 000003
【図２】
0003158862.tif 000004
【図３】
0003158862.tif 000005
【図４】
0003158862.tif 000006
【図５】
0003158862.tif 000007
【図６】
0003158862.tif 000008
【図７】
0003158862.tif 000009
【図８】
0003158862.tif 000010
【図１１】
0003158862.tif 000011
【図１２】
0003158862.tif 000012
【図１３】
0003158862.tif 000013
【図９】
0003158862.tif 000014
【図１０】
0003158862.tif 000015
【図１４】
0003158862.tif 000016
【図１５】
0003158862.tif 000017
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
皮膚に対し、重力による荷重を加えるための錘部品と、皮膚に接触し重力による荷重を皮膚表面に伝え、皮膚表面に円形の凹状痕を与えるための荷重痕付加部品からなることを特徴とする皮膚のはり評価用器具。
【請求項２】
錘部品が、重力による荷重を調整するため複数の錘を重ね合わせた構造であることを特徴とする請求項１に記載の皮膚のはり評価用器具。
【請求項３】
錘部品が所定の厚さを有する金属性の円板であることを特徴とする請求項１又は２に記載の皮膚のはり評価用器具。
【請求項４】
荷重痕付加部品がゴム製リングからなり、錘部品の直径より小さい直径を有していることを特徴とする請求項１乃至３のいずれか１項に記載の皮膚のはり評価用器具。
【請求項５】
荷重痕付加部品がゴム製であり、太さ２ｍｍで直径１２ｍｍのリング状に形成したことを特徴とする請求項１乃至４のいずれか１項に記載の皮膚のはり評価用器具。
【請求項６】
皮膚に対し、重力による荷重を加えるための錘部品と、皮膚に接触し重力による荷重を皮膚表面に伝え、皮膚表面に円形状の荷重痕を与えるための荷重痕付加部品とが、皮膚に対して垂直方向に配列するためのガイドを該錘部品と荷重痕付加部品の周囲に設置したことを特徴とする請求項１乃至５のいずれか１項に記載の皮膚のはり評価用器具。